(57)【要約】【課題】スタイラスペン弾力伸縮機構の提供。【解決手段】本発明は一種のスタイラスペン弾力伸縮機構に関わるもので、ペン軸の両端に書き込むための先端と伸縮棒により、伸縮機能のスタイラスペンを構成する。主にペン軸内部に案内棒、押出棒位置固定棒と弾性部材より構成する弾性機構。自動弾力伸縮機構の弾性作用により、スタイラスペンは収納するとき、PDAなどの携帯型情報端末装置のペン台に納めておき、使用するとき、引起し棒を押すことにより、ペン台に延ばして、利用者は便利にこのスタイラスペンを使用できる。【選択図】図４
2007128229.tif 000002
【特許請求の範囲】
【請求項１】
一つのペン軸、一端は書き込み先端部および自動弾力伸縮機構に組込み、他端は一つの引起し棒と接続する。
一つの書き込み先端部、一端は該ペン軸に組込み、自動弾力伸縮機構を組込むため、内周面に収納溝を設ける。
一つの自動弾力伸縮機構、該ペン軸と書き込み先端部内周面の間に設け、一つの案内棒、押出棒、位置固定歯棒および弾性部材より構成する；該案内棒の一端は該弾性部材に組み込んだ後、該収納溝に組み込、他端は該押出棒中空の内周面と回転軸接続し、該案内棒と押出棒を向かい合わせた端面の適切な場所に、互いに噛み合わせるための噛み合わせ歯と押し歯を設ける；一方、該案内棒の噛み合わせ歯は等間隔で外周面に突き出して設けることにより、若干の案内歯を形成し、該位置固定歯棒の内周面に若干の貫通する案内溝と貫通しない係止溝を交互に交差して設けるリングギヤ部を設け、該案内棒の案内歯と弾性運動に合わせる。
一つの引起し棒を設け、そのペン軸の伸縮動作に合わせ、
これにより、そのスタイラスペンは携帯型情報端末装置PDAなどのペン台内部に収納するとき、該案内棒の案内歯により、該位置固定歯棒の係止溝に固定され、引起し棒の弾性構造により、ペン台内部に隠すことができる、引起し棒は圧入操作されると、該押出棒の押し歯と案内棒の噛み合わせ歯と噛み合わせにより、その案内棒を一つの歯形距離を移動させ、該位置固定歯棒の案内溝に噛み合わせる同時に、該案内棒は弾性部材の働きにより、引起し棒を駆動して、ペン台外部に弾き出した後、利用者はスタイラスペンを取り出すことを実現することを特徴とする一種のスタイラスペン弾力伸縮機構。  
【請求項２】
請求項１記載のスタイラスペン弾力伸縮機構において、書き込み先端部は一つのペンキャップとペン先部より構成し、該ペンキャップとペン軸と組み合わせる端面の外周面に一つの噛み合わせ溝を設け、携帯型情報端末装置ペン台内周面に一つのホゾを突き出して設け、スタイラスペンはペン台に収納するとき、該ホゾを噛み合わせ溝内部に噛み合わせにより、固定する構造であることを特徴とする、スタイラスペン弾力伸縮機構。
【請求項３】
請求項１記載のスタイラスペン弾力伸縮機構において、引起し棒は一つの小さい管と管軸より構成し、該小さい管一端の管壁の適切な場所にメスネジ山区間を設け、該端はペン軸の一端に組み込んだ後、その管軸のオスネジ山区間はねじ接続により一体化に結合し、小さい管一端の外周面適切な場所は、さらに一つまたは一つ以上のオイルシールを組込み、該オイルシールの外周面はそのペン軸の内壁面に係止められるため、スタイラスペン伸縮動作の安定性を向上できるほか、消音、滑りがなめらかであることを特徴とする、スタイラスペン弾力伸縮機構。
【請求項４】
請求項１記載のスタイラスペン弾力伸縮機構において、位置固定歯棒よりそのリングギヤ部の案内溝と係止溝は、一体成型により、そのペン軸の内壁面に設けることを特徴とする、スタイラスペン弾力伸縮機構。
【請求項５】
請求項１記載のスタイラスペン弾力伸縮機構において、自動弾力伸縮機構をペン軸に組み込むとき、押出棒は位置固定歯棒他端の外周面に貫通する場所に、さらに一つの副弾性部材を設け、副弾性部材の一端は該位置固定歯棒桿外部端面に係止められ、他端は引起し棒を引き込み収納するとき、該端面と接触し、引起し棒の小さい管をペン軸内部に収納したとき、該端面と引起し棒の外部端面に接触して、自動弾力伸縮機構の弾性運動への影響を避けることを特徴とする、スタイラスペン弾力伸縮機構。
【請求項６】
一つのペン軸に一つの書き込み先端部と引起し棒を設けて実現することを特徴とする一種のスタイラスペン弾力伸縮機構、その特長として、該ペン軸内周面に自動弾力伸縮機構を設け、該自動弾力伸縮機構は噛み合わせ歯の噛み合わせにより、弾性運動を行い、その引起し棒の一端を制御し、圧入操作によりペン台より弾き出して、利用者はこれを取り出すことができる。
【請求項７】
請求項６記載のスタイラスペン弾力伸縮機構において、書き込み先端部は一つのペンキャップとペン先部より構成し、該ペンキャップとペン軸と組み合わせる端面の外周面に一つの噛み合わせ溝を設け、携帯型情報端末装置ペン台内周面に一つのホゾを突き出して設け、スタイラスペンはペン台に収納するとき、該ホゾを噛み合わせ溝内部に噛み合わせにより固定する構造であることを特徴とする、スタイラスペン弾力伸縮機構。
【請求項８】
請求項６記載のスタイラスペン弾力伸縮機構において、引起し棒は一つの小さい管と管軸より構成し、該小さい管一端の管壁の適切な場所にメスネジ山区間を設け、該端はペン軸の一端に組み込んだ後、管軸のオスネジ山区間はねじ接続により一体化に結合し、小さい管一端の外周面適切な場所は、さらに一つまたは一つ以上のオイルシールを組込み、オイルシールの外周面はペン軸の内壁面に係止められるため、スタイラスペン伸縮動作の安定性を向上できるほか、消音、滑りがなめらかであることを特徴とする、スタイラスペン弾力伸縮機構。
【請求項９】
請求項６記載のスタイラスペン弾力伸縮機構において、自動弾力伸縮機構は、一つの案内棒、押出棒、位置固定歯棒および一つの弾性部材より構成する；案内棒の一端は弾性装置にかぶせてから収納溝に入れて、他端は押出棒中空の内面に回転軸接続する。さらに案内棒と押出棒に対応する一端の適切な場所に噛み合わせする噛み合わせ歯と押し歯を設ける；また、案内棒の噛み合わせ歯は等間隔にて、外周面に突き出して設け、若干の案内歯を形成する。案内棒の案内歯の弾性作動するために、位置固定歯棒の内周面に若干の貫通する案内溝と貫通しない係止溝を交差して設けるリングギヤを設けて、案内棒の案内歯と弾性運動に合わせる；これにより、スタイラスペンは携帯型情報端末装置PDAなどのペン台内部に収納するとき、該案内棒の案内歯により、位置固定歯棒の係止溝に固定され、引起し棒の弾性構造により、ペン台内部に隠すことができる；該引起し棒は圧入操作されると、押出棒の押し歯と案内棒の噛み合わせ歯と噛み合わせにより、案内棒を一つの歯形距離を移動させ、位置固定歯棒の案内溝に噛み合わせると同時に、案内棒は弾性部材の働きにより、引起し棒を駆動して、ペン台外部に弾き出した後、利用者はスタイラスペンを取り出すことができることを特徴とする、スタイラスペン弾力伸縮機構。
【請求項１０】
請求項９記載のスタイラスペン弾力伸縮機構において、自動弾力伸縮機構をペン軸に組み込むとき、押出棒は位置固定歯棒他端の外周面に貫通する場所に、さらに一つの副弾性部材を設け、副弾性部材の一端は位置固定歯棒桿外部端面に係止められ、他端は引起し棒を引き込み収納するとき、その端面と接触し、引起し棒の小さい管をペン軸内部に収納したとき、端面と引起し棒の外部端面に接触して、自動弾力伸縮機構の弾性運動への影響を避けることを特徴とする、スタイラスペン弾力伸縮機構。
【発明の詳細な説明】
【技術分野】
【０００１】
本発明は一種のスタイラスペン、特に一種の携帯型情報端末装置のペン台に完全収納可能な改良型スタイラスペンに関わる。
【背景技術】
【０００２】
情報行動化につれて、各種画期的なデジタル通信製品も次から次へと現れてくる。
携帯型情報端末装置（PDA）はその一種である。PDAの基本的な機能は、過去我々が使用している万能筆記帳のように、住所録、記帳、メモ、行動スケジュールなどすべてはデジタル記録として、保存、検索、修正、データ変換などは紙とペンに記録する万能筆記帳より遥かに高度化している。
【０００３】
図１に示すとおり、先行技術のPDA２００を使用するとき、まず、タッチペン３００を液晶パネル４００にタッチする。すなわち、操作はスタイラスペン３００をもって、液晶パネル４００上に表示された項目を選択して、PDA２００の内蔵機能を実行する。しかしながら、一般のスタイラスペン３００はPDA２００とは二つの分離構造である。そこで、形態の便利を図るため、通常はPDA２００上に開口部２１０を設けて、スタイラスペン３００をPDA２００内に収納し、一体化して携帯する。一方、スタイラスペン３００の収納機構は、スタイラスペン３００をPDA２００内部に収納するとき、両者の結合性、取り出しの容易性、脱けないおよび外観上の美観などは設計上に考慮すべき要素である。このため、スタイラスペンの一端がPDA外部に露出し、美観に影響することや不用意に触れることにより脱けないように、スタイラスペンの取り出し機構を繰り出し伸縮式に設計されている。
【０００４】
図２に示すものは、もう一つ公知のスタイラスペンの繰り出し装置に関わるもので、一つのスタイラスペンに先端部と溝を設け、一つの本体に開口案内溝を設ける。開口案内溝は、スタイラスペンの挿入と本体に納めることに適する。一つの繰り出し機構は、本体案内溝の底部に設けておく、スタイラスペンを開口案内溝に挿入したとき、ペン先は繰り出し機構に触れて、繰り出し機構を圧迫する。繰り出し機構は弾力を蓄えて、スタイラスペンの挿入方向に沿って、スタイラスペンを圧迫するにより繰り出し機構は再び圧迫されると、蓄えていた弾力により、スタイラスペンを本体より繰り出される。さらに、一つの弾性ホゾを本体の開口案内溝底部の片側に設け、弾性ホゾは平板形状に近い突起脇棒を設け、突起脇棒はスタイラスペンを本体に収納したときの溝位置にある。さらに、一つの緩衝部材を本体内部の開孔溝内部に設け、スタイラスペンを本体に収納したとき、スタイラスペンに当てられる。
【０００５】
さらに、図３に示すものは、もう一つの公知のスタイラスペンの繰り出し装置であり、それはスタイラスペンの固定と繰り出し機構に関わるもので、固定と繰り出し機構は電子装置のケースに収納し、少なくとも一つの一対の保持腕を設け、弾性による変形でスタイラスペンを保持する。一つのU形連結部、一対の保持腕に連結する。一つの弾性部材はU形連結部に形成して、スタイラスペンより保持腕を繰り出す弾力を提供する。
【０００６】
前述二つの公知発明ともPDA内部にスタイラスペンを繰り出すための弾力装置または繰り出し機構を設けている。構造に若干異なるものの、技術と原理は大体同様である。しかし、この種の装置はスタイラスペンを繰り出す機能はあるものの、弾性装置はPDAのペンスロットに設けている。また、繰り出す対象物はスタイラスペン全体であり、繰り出し効果と品質問題が発生するほか、弾性装置が弾性劣化を発生したとき、利用者による操作または保守は極めて困難である。それらの公知の発明は、さらに大きな欠点は、スタイラスペンが押された後は、ペンスロットとの結合関係を解除して、利用者によるスタイラスペンの取り出しに備える。利用者が不意にスタイラスペンに触れることにより、弾性装置が弾力による繰り出し動作を引き起こして、スタイラスペンは予期なしに弾き出されてしまう。また、利用者はPDAを取り出すとき、不注意により、スタイラスペンをペンスロットより脱けだして、使用の不便をきたすため、改善する必要がある。
【発明の開示】
【発明が解決しようとする課題】
【０００７】
本発明のスタイラスペン弾力伸縮機構は、ペン軸、書き込み先端および連結棒より構成するスタイラスペン内部に自動弾力伸縮機構を設ける。自動弾力伸縮機構は、一つの案内棒、押出棒、位置固定歯棒および一つの弾性部材より構成する；案内棒の一端は弾性装置にかぶせてから収納溝に入れて、他端は押出棒中空の内面に回転軸接続する。さらに案内棒と押出棒に対応する一端の適切な場所に噛み合わせする噛み合わせ歯と押し歯を設ける。また、案内棒の噛み合わせ歯は等比例間隔にて、外周面に突き出して設け、若干の案内歯を形成する。案内棒の案内歯の弾性作動ために、位置固定歯棒の内周面に若干の貫通する案内溝と貫通しない係止溝を交差して設けるリングギヤを設ける。さらに、副弾性部材は押出棒が位置固定歯棒他端の外周面に貫通するところにかぶせておき、スタイラスペンを携帯型情報端末装置PDAなどのペン台に収納されたとき、案内棒の案内歯により、位置固定歯棒の係止溝に噛み合わせておき、引起し棒の弾性位置固定構造により、ペン台へ完全に隠しておく。引起し棒は圧入操作により、引起し棒の押し歯と案内棒の歯形に噛み合わせて、案内棒を一つの歯間隔を前進して、案内歯を回転させた上、位置固定歯棒の案内溝に固定させる同時に、副弾性部材は先に引起し棒を一つの予定距離に弾き起こした後、弾性部材の弾力により、案内棒によって引起し棒を押し上げた上、押出棒は押出棒の他端を押し上げて、ペン台外部に弾き出して、使用者はスタイラスペンを取り出すことができる。
【課題を解決するための手段】
【０００８】
請求項１の発明は、一つのペン軸、一端は書き込み先端部および自動弾力伸縮機構に組込み、他端は一つの引起し棒と接続する。
一つの書き込み先端部、一端は該ペン軸に組込み、自動弾力伸縮機構を組込むため、内周面に収納溝を設ける。
一つの自動弾力伸縮機構、該ペン軸と書き込み先端部内周面の間に設け、一つの案内棒、押出棒、位置固定歯棒および弾性部材より構成する；その案内棒の一端はその弾性部材に組み込んだ後、該収納溝に組み込む、他端はその押出棒中空の内周面と回転軸接続し、案内棒と押出棒を向かい合わせた端面の適切な場所に、互いに噛み合わせるための噛み合わせ歯と押し歯を設ける；一方、案内棒の噛み合わせ歯は等間隔で外周面に突き出して設けることにより、若干の案内歯を形成し、位置固定歯棒の内周面に若干の貫通する案内溝と貫通しない係止溝を交互に交差して設けるリングギヤ部を設け、その案内棒の案内歯と弾性運動に合わせる。
一つの引起し棒を設け、該ペン軸の伸縮動作に合わせる。
これにより、スタイラスペンは携帯型情報端末装置PDAなどのペン台内部に収納するとき、案内棒の案内歯により、位置固定歯棒の係止溝に固定され、引起し棒の弾性構造により、ペン台内部に隠すことができる、引起し棒は圧入操作されると、押出棒の押し歯と案内棒の噛み合わせ歯と噛み合わせにより、案内棒を一つの歯形距離を移動させ、位置固定歯棒の案内溝に噛み合わせる同時に、案内棒はその弾性部材の働きにより、引起し棒を駆動して、ペン台外部に弾き出した後、利用者はスタイラスペンを取り出すことを実現することを特徴とする一種のスタイラスペン弾力伸縮機構としている。
請求項２の発明は、請求項１記載のスタイラスペン弾力伸縮機構において、書き込み先端部は一つのペンキャップとペン先部より構成し、ペンキャップとペン軸と組み合わせる端面の外周面に一つの噛み合わせ溝を設け、携帯型情報端末装置ペン台内周面に一つのほぞを突き出して設け、スタイラスペンはそのペン台に収納するとき、ホゾを噛み合わせ溝内部に噛み合わせにより、固定する構造であることを特徴とする、スタイラスペン弾力伸縮機構としている。
請求項３の発明は、請求項１記載のスタイラスペン弾力伸縮機構において、引起し棒は一つの小さい管と管軸より構成し、該小さい管一端の管壁の適切な場所にメスネジ山区間を設け、その端はペン軸の一端に組み込んだ後、管軸のオスネジ山区間はねじ接続により一体化に結合し、小さい管一端の外周面適切な場所は、さらに一つまたは一つ以上のオイルシールを組込み、オイルシールの外周面はそのペン軸の内壁面に係止められるため、スタイラスペン伸縮動作の安定性を向上できるほか、消音、滑りがなめらかであることを特徴とする、スタイラスペン弾力伸縮機構としている。
請求項４の発明は、請求項１記載のスタイラスペン弾力伸縮機構において、位置固定歯棒よりそのリングギヤ部の案内溝と係止溝は、一体成型により、そのペン軸の内壁面に設けることを特徴とする、スタイラスペン弾力伸縮機構としている。
請求項５の発明は、請求項１記載のスタイラスペン弾力伸縮機構において、自動弾力伸縮機構をペン軸に組み込むとき、押出棒は位置固定歯棒他端の外周面に貫通する場所に、さらに一つの副弾性部材を設け、副弾性部材の一端はその位置固定歯棒桿外部端面に係止められ、他端は引起し棒を引き込み収納するとき、その端面と接触し、引起し棒の小さい管をペン軸内部に収納したとき、その端面と引起し棒の外部端面に接触して、自動弾力伸縮機構の弾性運動への影響を避けることを特徴とする、スタイラスペン弾力伸縮機構としている。
請求項６の発明は、一つのペン軸に一つの書き込み先端部と引起し棒を設けて実現することを特徴とする一種のスタイラスペン弾力伸縮機構、その特長として、
そのペン軸内周面に自動弾力伸縮機構を設け、その自動弾力伸縮機構は噛み合わせ歯の噛み合わせにより、弾性運動を行い、その引起し棒の一端を制御し、圧入操作によりペン台より弾き出して、利用者はこれを取り出すことができるとしている。
請求項７の発明は、請求項６記載のスタイラスペン弾力伸縮機構において、書き込み先端部は一つのペンキャップとペン先部より構成し、そのペンキャップとペン軸と組み合わせる端面の外周面に一つの噛み合わせ溝を設け、携帯型情報端末装置ペン台内周面に一つのほぞを突き出して設け、スタイラスペンはそのペン台に収納するとき、該ホゾを噛み合わせ溝内部に噛み合わせにより、固定する構造であることを特徴とする、スタイラスペン弾力伸縮機構としている。
請求項８の発明は、請求項６記載のスタイラスペン弾力伸縮機構において、引起し棒は一つの小さい管と管軸より構成し、その小さい管一端の管壁の適切な場所にメスネジ山区間を設け、その端はそのペン軸の一端に組み込んだ後、その管軸のオスネジ山区間はねじ接続により一体化に結合し、その小さい管一端の外周面適切な場所は、さらに一つまたは一つ以上のオイルシールを組込み、そのオイルシールの外周面はそのペン軸の内壁面に係止められるため、スタイラスペン伸縮動作の安定性を向上できるほか、消音、滑りがなめらかであることを特徴とする、スタイラスペン弾力伸縮機構としている。
請求項９の発明は、請求項６記載のスタイラスペン弾力伸縮機構において、自動弾力伸縮機構は、一つの案内棒、押出棒、位置固定歯棒および一つの弾性部材より構成する；案内棒の一端は弾性装置にかぶせてから収納溝に入れて、他端は押出棒中空の内面に回転軸接続する。さらに案内棒と押出棒に対応する一端の適切な場所に噛み合わせする噛み合わせ歯と押し歯を設ける；また、案内棒の噛み合わせ歯は等比例間隔にて、外周面に突き出して設け、若干の案内歯を形成する。案内棒の案内歯の弾性作動するために、位置固定歯棒の内周面に若干の貫通する案内溝と貫通しない係止溝を交差して設けるリングギヤを設けて、その案内棒の案内歯と弾性運動に合わせる；これにより、そのスタイラスペンは携帯型情報端末装置PDAなどのペン台内部に収納するとき、その案内棒の案内歯により、その位置固定歯棒の係止溝に固定され、その引起し棒の弾性構造により、そのペン台内部に隠すことができる；その引起し棒は圧入操作されると、その押出棒の押し歯と案内棒の噛み合わせ歯と噛み合わせにより、その案内棒を一つの歯形距離を移動させ、その位置固定歯棒の案内溝に噛み合わせると同時に、その案内棒はその弾性部材の働きにより、その引起し棒を駆動して、ペン台外部に弾き出した後、利用者はスタイラスペンを取り出すことができることを特徴とする、スタイラスペン弾力伸縮機構としている。
請求項１０の発明は、請求項９記載のスタイラスペン弾力伸縮機構において、自動弾力伸縮機構をペン軸に組み込むとき、押出棒は位置固定歯棒他端の外周面に貫通する場所に、さらに一つの副弾性部材を設け、副弾性部材の一端はその位置固定歯棒桿外部端面に係止められ、他端は引起し棒を引き込み収納するとき、その端面と接触し、引起し棒の小さい管をペン軸内部に収納したとき、その端面と引起し棒の外部端面に接触して、自動弾力伸縮機構の弾性運動への影響を避けることを特徴とする、スタイラスペン弾力伸縮機構としている。
【発明の効果】
【０００９】
本発明の主な目的は一種スタイラスペン弾力伸縮機構を提供するもので、スタイラスペンは収納したとき、ペン台へ完全に隠されて、利用者が使用するときに、圧入操作のみで実現可能なため、実用性と便利性が高い。
【発明を実施するための最良の形態】
【００１０】
図４〜図１２に示すものは、本発明のスタイラスペン弾力伸縮機構である。一つのペン軸２０、書き込み先端部３０、自動弾力伸縮機構４０、および引起し棒５０などの部品より構成する。
【００１１】
ペン軸２０の内周面中空の長方形管部材を設け、一端の内周面メスねじ区間２１を設けて、自動弾力伸縮機構４０にねじ接続し、他端は引起し棒５０と伸縮してかぶせる。
【００１２】
書き込み先端部３０は一つのペンキャップ３１およびペン先部３２より構成する。ペンキャップ３１は軸方向内周面貫通する収納溝３１１を設け、収納溝３１１端面の内周面メスネジ山区間３１３を設けて、自動弾力伸縮機構４０の位置固定歯棒４３と結合して、ペン先部３２と組合せる。さらに、ペンキャップ３１とペン軸２０が噛み合わせる一端の外周面適切な場所に噛み合わせ溝３１２を設け、携帯型情報端末装置６０のペン台６１内部底面端面の適切な場所にホゾ６１１を突き出して設け、噛み合わせる。
【００１３】
自動弾力伸縮機構４０はペン軸２０と書き込み先端部３０の間に設け、一つの案内棒４１、押出棒４２、位置固定歯棒４３、および弾性部材４４より構成する。
【００１４】
案内棒４１の一端は噛み合わせ歯４１１を設けた棒部材を設け、それらの噛み合わせ歯４１１は等比例間隔に、案内棒４１の外周面に設けて、三つの歯車が大きい案内歯４１２を設け、一端は弾性部材４４をかぶせてから、収納溝３１１内部に組み入れて、他端は押出棒４２の中空内周面に組み入れる。押出棒４２の一端は噛み合わせ歯４１１と噛み合わせる押し歯４２１脇棒を設け、さらに、内周面に案内棒４１が合わせて孔溝４２２に挿入する。位置固定歯棒４３の外周面にオスねじ山区間４３３を設け、書き込み先端部３０のメスネジ山区間３１３とペン軸２０のメスネジ山部２１にねじ接続できる。さらに、一つのライニング４６を組み入れて、組合せ後全体の安定性を確保する。内周面に若干の軸方向を貫通する案内溝４３１、および貫通しない係止溝４３２を等比例間隔に交差して設けるリングギヤ部４３３を設け、案内棒４１の噛み合わせ歯４１１と押出棒４２の押し歯４２１の噛み合わせ運動により、案内溝４３１と係止溝４３２を駆動し、案内棒４１の案内歯４１２と合わせて間欠飛び運動を行い、引起し棒５０がペン台６１に隠しまたは弾き出す動作の制御を実現する。
【００１５】
引起し棒５０は小さい管５１と管軸５２より構成し、小さい管５１一端の管壁の適切な場所にメスネジ山区間５１１を設け、端はペン軸２０一端に組み込んだ後、管軸５２のオスねじ山区間５２１とねじ接続により一体化に結合し、ペン軸２０の伸縮動作と合わせる。さらに、小さい管５１がペン軸２０内部一端の適切な場所に、一つまたは一つ以上のオイルシール５３を設け、オイルシール５３の外周面はペン軸２０の内壁面に係止することにより、スタイラスペン伸縮動作の安定性を向上できるほか、無声、滑りがなめらかである特徴がある。
【００１６】
前述の部品を組み込んだ後、スタイラスペンを携帯型情報端末装置６０のペン台６１内部に収納されたとき、引起し棒５０は自動弾力伸縮機構４０の弾性ある押出力量により、自動弾き出す機能を動作し、完全にペン台６１内部に隠すことができる。スタイラスペンを取り出し、または使用するとき、引起し棒５０の管軸５２頂面を圧入して、取り出すことができる。
【００１７】
さらに、本発明の自動弾力伸縮機構４０による引起し棒５０の押し出し構造を以下のとおり詳細説明する。
図６〜図１０に示すとおり、スタイラスペンを取り出して使用するとき、引起し棒５０はペン軸２０外部に延ばして、案内棒４１と押出棒４２の噛み合わせ歯４１１と押し歯４２１は互いに噛み合わせて、案内棒４１の案内歯４１２は位置固定歯棒４３の案内溝４３１内部に固定される。利用者はスタイラスペンを収納するとき、引起し棒５０の内側をペン軸２０内部に圧入して、内端面より押出棒４２の頂面を押出し、引起し棒５０はペン軸２０内部に沿って移動し、案内棒４２は押し出されて、弾性部材４４を圧迫し、案内棒４２の案内歯４１２が位置固定歯棒４３の案内溝４３１に押される同時、引起し棒４２の押し歯４２１と案内棒４１の噛み合わせ歯４１１は歯形沿って飛び運動を行い、案内棒４１を駆動し一つの歯形距離を移動し、案内歯４１２を位置固定歯棒４３の係止溝４３２に移動させる。係止溝４３２は貫通しない構造のため、案内棒４１は上方向に移動できない。図８、図９に示すとおり、これにより、スタイラスペンを完全に隠して、ペン台６１内部に収納（図１１に示す）できる。再び使用するとき、引起し棒５０の管軸５２を圧入操作することにより、案内棒４１をもう一つの歯形距離を移動させ、案内歯４１２を回転させ、その位置固定歯棒４３の案内溝４３１内部に噛み合わせて、弾性部材４４の弾力が解放され、引起し棒５０の管軸５２をペン台６１外部に押し出して、利用者はスタイラスペンを取り出すことができる。
【００１８】
さらに、本発明は最適化の実施例構造として、位置固定歯棒４３をリングギヤ部４３３の案内溝４３１と係止溝４３２はペン軸２０内周面の適切場所に一体化成型し、組立部品を減少する。この他、自動弾力伸縮機構４０をペン軸２０に組み込むとき、押出棒４２は位置固定歯棒４３他端の外周面に貫通する場所に、さらに一つの副弾性部材４５を設け、副弾性部材４５の一端はその位置固定歯棒桿４３外部端面に係止められ、他端は引起し棒５０を引き込み収納するとき、その端面と接触し、引起し棒５０の小さい管５１をペン軸２０内部に収納したとき、その端面と引起し棒４２の外部端面に接触して、自動弾力伸縮機構４０の弾性運動への影響を避ける。
【００１９】
前述の説明したとおり、本発明はそのスタイラスペン弾力伸縮の制御機構をペン軸内部に設ける構造は、公知の発明のペンスロットに取り付けるに対してより良いである。伸縮動作機能が安定、かつなめらかであることを実現するほか、スタイラスペンはペン台６１内部に収納するとき、噛み合わせ溝３１２とペン台６１内部底面のホゾ６１１により、噛み合わせ固定する。よって、引起し棒５０は不注意により圧入操作しても、スタイラスペンはペン台６１より脱けだすことがないため、一般の公知発明に比べて、より高い実用性を有する。
【図面の簡単な説明】
【００２０】
【図１】第一の公知発明を使用するときの概略図である。
【図２】第二の公知発明の立面分解図である。
【図３】第三の公知発明の組合せ立面分解図である。
【図４】本発明の立面組合せ外観図である。
【図５】本発明の立体分解概略図である。
【図６】本発明の引起し棒を完全に引き出されたときの組合せ概略図である。
【図７】本発明の引起し棒が内側に引き込むとき、もう一つの組合せ断面概略図である。
【図８】本発明の引起し棒を完全に引き出されたときの断面概略図である。
【図９】本発明の引起し棒を完全に引き出した後、自動弾力伸縮機構作動の断面図である。
【図１０】本発明の引起し棒を完全に引き込んだ後、自動弾力伸縮機構作動の断面図である。
【図１１】本発明を携帯型情報端末装置に応用の実施例の図式である。
【図１２】本発明を携帯型情報端末装置に応用したもう一つの実施例の図式である。
【符号の説明】
【００２１】
２０      ペン軸                              ２１      メスネジ山部
３０      書き込み先端部                      ３１      ペンキャップ
３１１    収納スロット                        ３１２    噛み合わせ溝
３１３    メスねじ山区間                      ３２      ペン先部
４０      自動弾力伸縮機構                    ４１      案内棒
４１１    噛み合わせ歯                        ４１２    案内歯
４２      押出棒                              ４２１    押し歯
４３      位置固定歯形棒                      ４３１    案内溝
４３２    係止溝                              ４３３    オスねじ山区間
４４      弾性部材                            ４５      副弾性部材
４６      ライニング                          ５０      引起し棒
５１      小さい管                            ５２      管軸
５２１    オスねじ山区間                      ５３      オイルシール
６０      携帯型情報端末装置                  ６１      ペン台
６１１    ホゾ
【図１】
2007128229.tif 000003
【図２】
2007128229.tif 000004
【図３】
2007128229.tif 000005
【図４】
2007128229.tif 000006
【図５】
2007128229.tif 000007
【図６】
2007128229.tif 000008
【図７】
2007128229.tif 000009
【図８】
2007128229.tif 000010
【図９】
2007128229.tif 000011
【図１０】
2007128229.tif 000012
【図１１】
2007128229.tif 000013
【図１２】
2007128229.tif 000014